(57)【特許請求の範囲】
【請求項１】
両側に側部フレームを配置するフレーム部と、該フレーム部に対して上下方向に開閉するカバー本体と、前記側部フレームの一方とカバー本体の側縁との間に配置される第一支持部と、前記側部フレームの他方とカバー本体の他の側縁との間に配置される第二支持部とを備え、
前記第一支持部及び第二支持部は、ガイドを配するスライドレール部材と、前記ガイドに対応する対応部材とを備え、
前記ガイドは、スライドレール部材の長手方向に沿って形成されるメインガイド域と、該メインガイド域から折り返す係止ガイド域とを備え、
前記第一支持部と第二支持部では、スライドレール部材の係止ガイド域が前記第一支持部と第二支持部同士の間で互いに逆方向の向きに折り返して形成されることを特徴とするカバーの開閉機構。
【請求項２】
カバー本体を開放する際には、カバー本体の開放方向への移動に伴って、第一支持部が第一の対応部材と係止ガイド域で係合し、且つ手動によって、第二支持部が第二の対応部材と係止ガイド域で係合し、
カバー本体を閉止する際には、カバー本体を開放方向へ押し込むことによって、第二支持部が第二の対応部材と係止ガイド域での係合を解除し、且つ手動によって、第一支持部が第一の対応部材と係止ガイド域での係合を解除するように構成されたことを特徴とする請求項１に記載のカバーの開閉機構。
【請求項３】
スライドレール部材は、フレーム部に固定され、
対応部材は、カバー本体に揺動可能に接続される本体部と、本体部から延びてスライドレール部材のガイドに位置する係合部とを備えたことを特徴とする請求項１又は２に記載のカバーの開閉機構。
【請求項４】
スライドレール部材は、カバー本体に固定され、
対応部材は、フレーム部に揺動可能に接続される本体部と、本体部から延びてスライドレール部材のガイドに位置する係合部とを備えたことを特徴とする請求項１又は２に記載のカバーの開閉機構。
【請求項５】
スライドレール部材は、揺動可能にカバー本体に接続され、
対応部材は、フレーム部に固定され且つスライドレール部材のガイドに位置する係合部を備えたことを特徴とする請求項１又は２に記載のカバーの開閉機構。
【請求項６】
スライドレール部材は、揺動可能にフレーム部に接続され、
対応部材は、カバー本体に固定され且つスライドレール部材のガイドに位置する係合部を備えたことを特徴とする請求項１又は２に記載のカバーの開閉機構。
【発明の詳細な説明】
【技術分野】
【０００１】
本発明は、上下方向に開くカバーの開閉機構に関するものである。
【背景技術】
【０００２】
建設機械や様々な機械には、フレームに対し上下方向に開閉可能なカバー本体を備えるカバーの開閉機構が構成されている。
【０００３】
一般にカバーの開閉機構は種々のものがあり、一例としては、カバー本体とフレームの間に一本のロッドステイを配置し、一本のロッドステイによってカバー本体の側縁の一点を支持する構成や、二例としては、カバー本体とフレームの間に配置される一本のロッドステイを配置し、一本のロッドステイによってカバー本体の中央の一点を支持する構成や、三例としては、カバー本体とフレームの間に二本のロッドステイを配置し、二本のロッドステイによってカバー本体の両側の側縁を支持する構成や、四例としては、カバー本体とフレームの間にダンパーを配置し、ダンパーによってカバー本体を支持する構成がある。
【０００４】
なお、本発明と関連性が高いカバーの開閉機構の先行技術文献情報としては、例えば、下記の特許文献１等がある。
【先行技術文献】
【特許文献】
【０００５】
【特許文献１】特開平９−２８７１６６号公報
【発明の開示】
【発明が解決しようとする課題】
【０００６】
しかしながら、従来の一例及び二例に示すように一本のロッドステイでカバー本体を支持する場合には、カバー本体の側縁の一点のみに応力が集中するため、カバー本体が歪んで変形を生じるという問題があった。また二例に示すように一本のロッドステイでカバー本体の中央の一点を支持する場合には、カバー本体の変形を低減し得る一方で、カバー本体の開放時における内部機器の整備や点検にロッドステイが邪魔になるという問題があった。更に三例に示すように二本のロッドステイでカバー本体の両側の側縁を支持する場合には、カバー本体を開閉する度に左右のロッドステイを手動で固定し又は解除する必要があるため、多くの動作が必要となり、手間と時間がかかるという問題があった。更にまた四例及び特許文献１に示すように、ダンパーを用いる際には、カバーの開閉時に手動でダンパーを固定する動作が不要になる一方で、カバー本体に剛性がないと、ダンパーの反力によってカバー本体に歪みを生じるため、カバー本体の剛性を高めることが必要になると共に全体のコストが上昇するという問題があった。
【０００７】
本発明は上述の実情に鑑みてなしたもので、カバー本体に変形等の影響を与えることなく、カバー本体を容易に開閉するカバーの開閉機構を提供することを目的としている。
【課題を解決するための手段】
【０００８】
本発明は、両側に側部フレームを配置するフレーム部と、該フレーム部に対して上下方向に開閉するカバー本体と、前記側部フレームの一方とカバー本体の側縁との間に配置される第一支持部と、前記側部フレームの他方とカバー本体の他の側縁との間に配置される第二支持部とを備え、前記第一支持部及び第二支持部は、ガイドを配するスライドレール部材と、前記ガイドに対応する対応部材とを備え、前記ガイドは、スライドレール部材の長手方向に沿って形成されるメインガイド域と、該メインガイド域から折り返す係止ガイド域とを備え、前記第一支持部と第二支持部では、スライドレール部材の係止ガイド域が前記第一支持部と第二支持部同士の間で互いに逆方向の向きに折り返して形成されることを特徴とするカバーの開閉機構、にかかるものである。
【０００９】
本発明のカバーの開閉機構において、カバー本体を開放する際には、カバー本体の開放方向への移動に伴って、第一支持部が第一の対応部材と係止ガイド域で係合し、且つ手動によって、第二支持部が第二の対応部材と係止ガイド域で係合し、カバー本体を閉止する際には、カバー本体を開放方向へ押し込むことによって、第二支持部が第二の対応部材と係止ガイド域での係合を解除し、且つ手動によって、第一支持部が第一の対応部材と係止ガイド域での係合を解除するように構成されることが好ましい。
【００１０】
本発明のカバーの開閉機構において、スライドレール部材は、フレーム部に固定され、対応部材は、カバー本体に揺動可能に接続される本体部と、本体部から延びてスライドレール部材のガイドに位置する係合部とを備えることが好ましい。
【００１１】
本発明のカバーの開閉機構において、スライドレール部材は、カバー本体に固定され、対応部材は、フレーム部に揺動可能に接続される本体部と、本体部から延びてスライドレール部材のガイドに位置する係合部とを備えることが好ましい。
【００１２】
本発明のカバーの開閉機構において、スライドレール部材は、揺動可能にカバー本体に接続され、対応部材は、フレーム部に固定され且つスライドレール部材のガイドに位置する係合部を備えることが好ましい。
【００１３】
本発明のカバーの開閉機構において、スライドレール部材は、揺動可能にフレーム部に接続され、対応部材は、カバー本体に固定され且つスライドレール部材のガイドに位置する係合部を備えることが好ましい。
【発明の効果】
【００１４】
本発明のカバーの開閉機構によれば、第一支持部をカバー本体の側縁に備えると共に、第二支持部をカバー本体の他の側縁に備えるので、カバー本体の変形を防止することができ、且つカバー本体の開放時における内部機器の整備や点検に際し、第一支持部及び第二支持部が邪魔になることがなく、容易に行うことができる。また第一支持部と第二支持部では、スライドレール部材の係止ガイド域が互いに逆方向の向きに折り返して形成されるので、カバー本体の開閉時に、第一支持部又は第二支持部の一つのみを手動で操作して固定し又は解除することが可能となり、よって最小の動作でカバー本体を容易に開閉し、手間と時間を低減することができる。更にダンパー等の構成を用いることがないので、カバー本体の剛性を高める必要がなく、またダンパー等の設置コストに伴う全体のコストを抑制することができる、という優れた効果を奏し得る。
【図面の簡単な説明】
【００１５】
【図１】本発明を実施する形態の第一例を示す概念正面図である。
【図２】図１のＩＩ−ＩＩ方向の矢視図である。
【図３】第一支持部でスライドレール部材の係止ガイド域と対応部材が係合した状態を示す拡大側面図である。
【図４】図１のＩＶ−ＩＶ方向の矢視図である。
【図５】第二支持部でスライドレール部材の係止ガイド域と対応部材が係合した状態を示す拡大側面図である。
【図６】第一例でカバー本体を閉止した状態を示す概念側面図である。
【図７】本発明を実施する形態の第二例であって第一支持部でスライドレール部材の係止ガイド域と対応部材が係合した状態を示す概念側面図である。
【図８】本発明を実施する形態の第二例であって第二支持部でスライドレール部材の係止ガイド域と対応部材が係合した状態を示す概念側面図である。
【図９】第二例でカバー本体を閉止した状態を示す概念側面図である。
【図１０】本発明を実施する形態の第三例を示す概念正面図である。
【図１１】図１０のＸＩ−ＸＩ方向の矢視図である。
【図１２】第一支持部でスライドレール部材の係止ガイド域と対応部材が係合した状態を示す拡大側面図である。
【図１３】図１０のＸＩＩＩ−ＸＩＩＩ方向の矢視図である。
【図１４】第二支持部でスライドレール部材の係止ガイド域と対応部材が係合した状態を示す拡大側面図である。
【図１５】第三例でカバー本体を閉止した状態を示す概念側面図である。
【図１６】本発明を実施する形態の第四例であって第一支持部でスライドレール部材の係止ガイド域と対応部材が係合した状態を示す概念側面図である。
【図１７】本発明を実施する形態の第四例であって第二支持部でスライドレール部材の係止ガイド域と対応部材が係合した状態を示す概念側面図である。
【図１８】第四例でカバー本体を閉止した状態を示す概念側面図である。
【図１９】本発明を実施する形態の第五例を示す概念正面図である。
【図２０】図１９のＸＸ−ＸＸ方向の矢視図である。
【図２１】第一支持部でスライドレール部材の係止ガイド域と対応部材が係合した状態を示す拡大側面図である。
【図２２】図１９のＸＸＩＩ−ＸＸＩＩ方向の矢視図である。
【図２３】第二支持部でスライドレール部材の係止ガイド域と対応部材が係合した状態を示す拡大側面図である。
【発明を実施するための形態】
【００１６】
以下、本発明の実施の形態の第一例を図１〜図６を参照して説明する。
【００１７】
実施の形態の第一例のカバーの開閉機構は、機器等の台座部１に配置されるフレーム部２と、フレーム部２に対して上下方向に開閉するカバー本体３と、フレーム部２とカバー本体３の間に配置される第一支持部４及び第二支持部５とを備えている。
【００１８】
フレーム部２は、台座部１の一方（図１では左側）に第一の側部フレーム６を立設していると共に台座部１の他側（図１では右側）に第二の側部フレーム７を立設しており、第一の側部フレーム６及び第二の側部フレーム７には、上端から内側斜め上方へ延びる第一の傾斜フレーム８及び第二の傾斜フレーム９を介して水平方向に延びる上部フレーム１０を備えている。
【００１９】
カバー本体３は、第一の側部フレーム６、第二の側部フレーム７、上部フレーム１０等で囲まれる範囲を覆うように所定の面積を有して形成されている。またカバー本体３は、上部フレーム１０との間に固定ブラケット１１及びヒンジ等の開閉部材１２を備えて開閉可能な構成になっている。更にカバー本体３の中央下部には、把持し得る取っ手１３や、台座部１に対して着脱し得る着脱部１４や、台座部１に対してロックし得るロック部１５を備えている。
【００２０】
図２、図３に示す如く第一支持部４は、第一の側部フレーム６（側部フレームの一方）と、カバー本体３の縁側との間に配置されるように、第一の側部フレーム６に沿って固定される所定長さの第一のスライドレール部材１６と、カバー本体３の縁側にブラケット１７を介して揺動可能に接続されるロッドステイ等の第一の対応部材１８とを備えている。第一のスライドレール部材１６は、切欠きや溝等からなるガイド１９を配しており（図２、図３では切欠きを示す）、ガイド１９は、第一のスライドレール部材１６の長手方向（図２では上下方向）に沿って形成されるメインガイド域２０と、メインガイド域２０の上端から第一の側部フレーム６と反対側へ折り返す係止ガイド域２１とを形成している。一方、第一の対応部材１８は、所定長さの本体部２２と、本体部２２の上端を屈曲して形成される上方接続部２３と、本体部２２の下端を屈曲して形成される係合部２４とを備え、上方接続部２３をブラケット１７の側面に挿入して本体部２２及び係合部２４を揺動可能にすると共に、係合部２４を第一のスライドレール部材１６のガイド１９に配してスライドするようにしている。また係合部２４の先端には、ガイド１９の幅より大きいストッパ２５を配し、切欠きや溝等のガイド１９から外れないようにしている。
【００２１】
図４、図５に示す如く第二支持部５は、第二の側部フレーム７（側部フレームの他方）と、カバー本体３の他の縁側との間に配置されるように、第二の側部フレーム７に沿って固定される所定長さの第二のスライドレール部材２６と、カバー本体３の他の縁側にブラケット２７を介して揺動可能に接続されるロッドステイ等の第二の対応部材２８とを備えている。第二のスライドレール部材２６は、切欠きや溝等からなるガイド２９を配しており（図４、図５では切欠きを示す）、ガイド２９は、第二のスライドレール部材２６の長手方向（図４では上下方向）に沿って形成されるメインガイド域３０と、メインガイド域３０の上端から第二の側部フレーム７側へ折り返す係止ガイド域３１とを形成している。一方、第二の対応部材２８は、所定長さの本体部３２と、本体部３２の上端を屈曲して形成される上方接続部３３と、本体部３２の下端を屈曲して形成される係合部３４とを備え、上方接続部３３をブラケット２７の側面に挿入して本体部３２及び係合部３４を揺動可能にすると共に、係合部３４を第二のスライドレール部材２６のガイド２９に配してスライドするようにしている。また係合部３４の先端には、ガイドの幅より大きいストッパ３５を配し、切欠きや溝等のガイド２９から外れないようにしている。
【００２２】
ここで図２〜図５に示す如く第一のスライドレール部材１６の係止ガイド域２１と、第二のスライドレール部材２６の係止ガイド域３１とは、互いに逆方向の向きに折り返して形成されるものである。更に具体的に第一のスライドレール部材１６の係止ガイド域２１と、第二のスライドレール部材２６の係止ガイド域３１とを説明すると、第一のスライドレール部材１６の係止ガイド域２１は、図３に示す如く上端から第一の側部フレーム６と反対側で且つ斜め下方に向かう傾斜部２１ａと、傾斜部２１ａから鉛直方向に向かう支持部２１ｂとを備えている。また第二のスライドレール部材２６の係止ガイド域３１は、図５に示す如く上端から第二の側部フレーム７側で且つ斜め下方に向かう支持部３１ａを備えている。
【００２３】
以下本発明を実施する形態の第一例の作用を説明する。
【００２４】
カバー本体３を開放する際には、片手でカバー本体３を上方へ開けることにより、カバー本体３の開放方向への移動に伴って、第一の対応部材１８の係合部２４が第一のスライドレール部材１６のメインガイド域２０を上方へスライドすると共に、第二の対応部材２８の係合部３４が第二のスライドレール部材２６のメインガイド域３０を上方へスライドする。
【００２５】
次にカバー本体３を更に上方へ開けることにより、カバー本体３の開放方向への移動に伴い、第一の対応部材１８の係合部２４が、メインガイド域２０の上部で、第一の対応部材１８の自重によってメインガイド域２０から係止ガイド域２１へ移行し、係止ガイド域２１の支持部２１ｂで係合して第一支持部４を固定する。また第二の対応部材２８の係合部３４は、メインガイド域３０の上部に位置したままであることから、もう一方の手によって第二の対応部材２８の下部を第二の側部フレーム７側へ押し込むことにより、第二の対応部材２８の係合部３４がメインガイド域３０から係止ガイド域３１へ移行し、係止ガイド域３１の支持部３１ａで係合して第二支持部５を固定する。
【００２６】
これにより、カバー本体３を開放する際には、カバー本体３の開放方向への移動に伴って、第一支持部４が第一の対応部材１８と係止ガイド域２１で係合し、且つ手動によって、第二支持部５が第二の対応部材２８と係止ガイド域３１で係合し、カバー本体３を開放して固定する。ここで第一支持部４と第二支持部５を逆の構成にした場合には、カバー本体３の開放方向への移動に伴って、第二支持部５が第二の対応部材２８と係止ガイド域３１で係合し、且つ手動によって、第一支持部４が第一の対応部材１８と係止ガイド域２１で係合し、カバー本体３を開放して固定するものになる。
【００２７】
一方、カバー本体３を閉止する際には、片手でカバー本体３を上方へ一旦押し込むことにより、第二の対応部材２８の係合部３４が第二の対応部材２８の自重によってガイドの係止ガイド域３１からメインガイド域３０へ移行し、第二の対応部材２８と係止ガイド域３１の係合を解除する。また第一の対応部材１８の係合部２４は、係止ガイド域２１に位置したままであることから、もう一方の手によって第一の対応部材１８の下部を奥側（第一の側部フレーム６側）に押し込むことにより、第一の対応部材１８の係合部２４が係止ガイド域２１からメインガイド域２０へ移行し、第一の対応部材１８と係止ガイド域２１の係合を解除する。
【００２８】
次にカバー本体３を下方へ閉じることにより、カバー本体３の閉止方向への移動に伴って、第二の対応部材２８の係合部３４が、第二の対応部材２８の自重によって第二のスライドレール部材２６のメインガイド域３０を下方へスライドすると共に、第一の対応部材１８の係合部２４が、第一の対応部材１８の自重によって第一のスライドレール部材１６のメインガイド域２０を下方へスライドし、図６に示す如くカバー本体３を閉止した状態にする。
【００２９】
これにより、カバー本体３を閉止する際には、カバー本体３を開放方向へ一旦押し込むことによって、第二支持部５が第二の対応部材２８と係止ガイド域３１での係合を解除し、且つ手動によって、第一支持部４が第一の対応部材１８と係止ガイド域２１での係合を解除し、カバー本体３を閉止する。ここで第一支持部４と第二支持部５を逆の構成にした場合には、カバー本体３を開放方向へ一旦押し込むことによって、第一支持部４が第一の対応部材１８と係止ガイド域２１での係合を解除し、且つ手動によって、第二支持部５が第二の対応部材２８と係止ガイド域３１での係合を解除し、カバー本体３を閉止するものになる。
【００３０】
而して、実施の形態の第一例によれば、第一支持部４をカバー本体３の側縁に備えると共に、第二支持部５をカバー本体３の他の側縁に備えるので、カバー本体３の変形を防止することができ、且つカバー本体３の開放時における内部機器の整備や点検に際し、第一支持部４及び第二支持部５が邪魔になることがなく、容易に行うことができる。また第一支持部４と第二支持部５では、第一のスライドレール部材１６の係止ガイド域２１と第二のスライドレール部材２６の係止ガイド域３１とが互いに逆方向の向きに折り返して形成されるので、カバー本体３の開閉時に、第一支持部４又は第二支持部５の一方のみを手動で操作して固定し又は解除することが可能となり、よって最小の動作でカバー本体３を容易に開閉し、手間と時間を低減することができる。更にダンパー等の構成を用いることがないので、カバー本体３の剛性を高める必要がなく、また全体のコストを抑制することができる。
【００３１】
実施の形態の第一例において、カバー本体３を開放する際には、カバー本体３の開放方向への移動に伴って、第一支持部４が第一の対応部材１８と係止ガイド域２１で係合し、且つ手動によって、第二支持部５が第二の対応部材２８と係止ガイド域３１で係合し、カバー本体３を閉止する際には、カバー本体３を開放方向へ押し込むことによって、第二支持部５が対応部材２８と係止ガイド域３１での係合を解除し、且つ手動によって、第一支持部４が対応部材１８と係止ガイド域２１での係合を解除するように構成されると、カバー本体３の開閉時に、第一支持部４又は第二支持部５の一方のみを手動で操作して固定し又は解除することが可能となり、よって最小の動作でカバー本体３を容易且つ適切に開閉し、手間と時間を一層低減することができる。
【００３２】
以下、本発明の実施の形態の第二例を図７〜図９を参照して説明する。
【００３３】
実施の形態の第二例のカバーの開閉機構は、第一例のフレーム部、カバー本体の形状を変形したものであり、機器等の台座部（図示せず）に配置されるフレーム部４１と、フレーム部４１に対して上下方向に開閉するカバー本体４２と、フレーム部４１とカバー本体４２の間に配置される第一支持部４３及び第二支持部４４とを備えている。
【００３４】
フレーム部４１は、台座部の一方に第一の側部フレーム４５を設置していると共に台座部の他側に第二の側部フレーム４６を設置しており、第一の側部フレーム４５の上方先端及び第二の側部フレーム４６の上方先端には、水平方向に延びる上部フレーム４７が配置されている。ここで第一の側部フレーム４５及び第二の側部フレーム４６は、下方から鉛直方向へ延びる鉛直部４５ａ，４６ａと、鉛直部４５ａ，４６ａの先端で屈曲して水平方向に延びる水平部４５ｂ，４６ｂとを備えている。
【００３５】
カバー本体４２は、第一の側部フレーム４５、第二の側部フレーム４６、上部フレーム等で囲まれる範囲を覆うように所定の面積を有して形成されていると共に、第一の側部フレーム４５及び第二の側部フレーム４６の形状に沿って鉛直部４２ａと水平部４２ｂを備えている。またカバー本体４２は、上部フレーム４７との間にヒンジ等の開閉部材４８を備えて開閉可能な構成になっている。更にカバー本体４２の中央下部には、把持し得る取っ手（図示せず）や、台座部に対して着脱し得る着脱部（図示せず）や、台座部に対してロックし得るロック部（図示せず）を備えている。
【００３６】
図７に示す如く第一支持部４３は、第一の側部フレーム４５（側部フレームの一方）と、カバー本体４２の縁側との間に配置されるように、第一の側部フレーム４５の水平部４５ｂに沿って固定される所定長さの第一のスライドレール部材４９と、カバー本体４２の水平部４２ｂの縁側にブラケット５０を介して揺動可能に接続されるロッドステイ等の第一の対応部材５１とを備えている。第一のスライドレール部材４９は、切欠きや溝等からなるガイド５２を配しており（図７では切欠きを示す）、ガイド５２は、第一のスライドレール部材４９の長手方向に沿って形成されるメインガイド域５３と、メインガイド域５３の上部フレーム４７側端から第一の側部フレーム４５側へ折り返す係止ガイド域５４とを形成している。一方、第一の対応部材５１は、所定長さの本体部５５と、本体部５５の上端を屈曲して形成される上方接続部５６と、本体部５５の下端を屈曲して形成される係合部５７とを備え、上方接続部５６をブラケット５０の側面に挿入して本体部５５及び係合部５７を揺動可能にすると共に、係合部５７を第一のスライドレール部材４９のガイド５２に配してスライドするようにしている。また係合部５７の先端には、ガイド５２の幅より大きいストッパ５８を配し、切欠きや溝等のガイド５２から外れないようにしている。
【００３７】
図８に示す如く第二支持部４４は、第二の側部フレーム４６（側部フレームの他方）と、カバー本体４２の他の縁側との間に配置されるように、第二の側部フレーム４６の水平部４６ｂに沿って固定される所定長さの第二のスライドレール部材５９と、カバー本体４２の水平部４２ｂの他の縁側にブラケット６０を介して揺動可能に接続されるロッドステイ等の第二の対応部材６１とを備えている。第二のスライドレール部材５９は、切欠きや溝等からなるガイド６２を配しており（図８では切欠きを示す）、ガイド６２は、第二のスライドレール部材５９の長手方向に沿って形成されるメインガイド域６３と、メインガイド域６３の上部フレーム４７側端から第二の側部フレーム４６と反対側へ折り返す係止ガイド域６４とを形成している。一方、第二の対応部材６１は、所定長さの本体部６５と、本体部６５の上端を屈曲して形成される上方接続部６６と、本体部６５の下端を屈曲して形成される係合部６７とを備え、上方接続部６６をブラケット６０の側面に挿入して本体部６５及び係合部６７を揺動可能にすると共に、係合部６７を第二のスライドレール部材５９のガイド６２に配してスライドするようにしている。また係合部６７の先端には、ガイド６２の幅より大きいストッパ６８を配し、切欠きや溝等のガイド６２から外れないようにしている。
【００３８】
ここで図７、図８に示す如く第一のスライドレール部材４９の係止ガイド域５４と、第二のスライドレール部材５９の係止ガイド域６４とは、互いに逆方向の向きに折り返して形成されるものである。更に具体的に第一のスライドレール部材４９の係止ガイド域５４と、第二のスライドレール部材５９の係止ガイド域６４とを説明すると、第一のスライドレール部材４９の係止ガイド域５４は、水平部中央寄りの先端から第一の側部フレーム４５側へ屈曲して折り返す支持部５４ａを備えており、また第二のスライドレール部材５９の係止ガイド域６４は、水平部中央寄りの先端から第二の側部フレーム４６側と反対側へ屈曲して折り返す支持部６４ａを備えている。
【００３９】
以下本発明を実施する形態の第二例の作用を説明する。
【００４０】
カバー本体４２を開放する際には、片手でカバー本体４２を上方へ開けることにより、カバー本体４２の開放方向への移動に伴って、第一の対応部材５１の係合部５７が第一のスライドレール部材４９のメインガイド域５３を左右方向へスライドすると共に、第二の対応部材６１の係合部６７が第二のスライドレール部材５９のメインガイド域６３を左右方向へスライドする。
【００４１】
次にカバー本体４２を更に上方へ開けることにより、カバー本体４２の開放方向への移動に伴い、第一の対応部材５１の係合部５７が、メインガイド域５３の先端で、第一の対応部材５１の自重によってメインガイド域５３から係止ガイド域５４へ移行し、係止ガイド域５４で係合して第一支持部４３を固定する。また第二の対応部材６１の係合部６７は、メインガイド域６３の先端に位置したままであることから、もう一方の手によって第二の対応部材６１の下部を上方へ引き込むことにより、第二の対応部材６１がメインガイド域６３から係止ガイド域６４へ移行し、係止ガイド域６４の支持部６４ａで係合して第二支持部４４を固定する。
【００４２】
これにより、カバー本体４２を開放する際には、カバー本体４２の開放方向への移動に伴って、第一支持部４３が第一の対応部材５１と係止ガイド域５４で係合し、且つ手動によって、第二支持部４４が第二の対応部材６１と係止ガイド域６４で係合し、カバー本体４２を開放して固定する。ここで第一支持部４３と第二支持部４４を逆の構成にした場合には、カバー本体４２の開放方向への移動に伴って、第二支持部４４が第二の対応部材６１と係止ガイド域６４で係合し、且つ手動によって、第一支持部４３が第一の対応部材５１と係止ガイド域５４で係合し、カバー本体４２を開放して固定するものになる。
【００４３】
一方、カバー本体４２を閉止する際には、片手でカバー本体４２を開放側へ一旦押し込むことにより、第二の対応部材６１の係合部６７が第二の対応部材６１の自重によって係止ガイド域６４からメインガイド域６３へ移行し、第二の対応部材６１と係止ガイド域６４の係合を解除する。また第一の対応部材５１の係合部５７は、係止ガイド域５４に位置したままであることから、もう一方の手によって第一の対応部材５１の下部を上方へ引き込むことにより、第一の対応部材５１の係合部５７が係止ガイド域５４からメインガイド域５３へ移行し、第一の対応部材５１と係止ガイド域５４の係合を解除する。
【００４４】
次にカバー本体４２を下方へ閉じることにより、カバー本体４２の閉止方向への移動に伴って、第二の対応部材６１の係合部６７が、第二のスライドレール部材５９のメインガイド域６３を逆方向にスライドすると共に、第一の対応部材５１の係合部５７が、第一のスライドレール部材４９のメインガイド域５３を逆方向にスライドし、図９に示す如くカバー本体４２を閉止した状態にする。
【００４５】
これにより、カバー本体４２を閉止する際には、カバー本体４２を開放方向へ一旦押し込むことによって、第二支持部４４が第二の対応部材６１と係止ガイド域６４での係合を解除し、且つ手動によって、第一支持部４３が第一の対応部材５１と係止ガイド域５４での係合を解除し、カバー本体４２を閉止する。ここで第一支持部４３と第二支持部４４を逆の構成にした場合には、カバー本体４２を開放方向へ一旦押し込むことによって、第一支持部４３が第一の対応部材５１と係止ガイド域５４での係合を解除し、且つ手動によって、第二支持部４４が第二の対応部材６１と係止ガイド域６４での係合を解除し、カバー本体４２を閉止するものになる。
【００４６】
而して、実施の形態の第二例によれば、第一例と同様な作用効果を得ることができる。
【００４７】
以下、本発明の実施の形態の第三例を図１０〜図１５を参照して説明する。なお図中、図１〜図６と同一の符号を付した部分は同一物を表わしている。
【００４８】
実施の形態の第三例のカバーの開閉機構は、第一例の第一支持部及び第二支持部を変形したものであり、フレーム部２とカバー本体３は第一例とほぼ同じ構成を備えている。
【００４９】
図１１、図１２に示す如く第三例の第一支持部７１は、第一の側部フレーム６（側部フレームの一方）と、カバー本体３の縁側との間に配置されるように、カバー本体３の縁側に沿って固定される所定長さの第一のスライドレール部材７２と、第一の側部フレーム６の上部にブラケット７３を介して揺動可能に接続されるロッドステイ等の第一の対応部材７４とを備えている。第一のスライドレール部材７２は、切欠きや溝等からなるガイド７５を配しており（図１１、図１２では切欠きを示す）、ガイド７５は、第一のスライドレール部材７２の長手方向に沿って形成されるメインガイド域７６と、メインガイド域７６の上端から第一の側部フレーム６側へ折り返す係止ガイド域７７とを形成している。一方、第一の対応部材７４は、所定長さの本体部７８と、本体部７８の上端を屈曲して形成される係合部７９と、本体部７８の下端を屈曲して形成される下方接続部８０とを備え、下方接続部８０をブラケット７３の側面に挿入して本体部７８及び係合部７９を揺動可能にすると共に、係合部７９を第一のスライドレール部材７２のガイド７５に配してスライドするようにしている。また係合部７９の先端には、ガイド７５の幅より大きいストッパ７９ａを配し、切欠きや溝等のガイド７５から外れないようにしている。
【００５０】
図１３、図１４に示す如く第二支持部８１は、第二の側部フレーム７（側部フレームの他方）と、カバー本体３の他の縁側との間に配置されるように、カバー本体３の他の縁側に沿って固定される所定長さの第二のスライドレール部材８２と、第二の側部フレーム７にブラケット８３を介して揺動可能に接続されるロッドステイ等の第二の対応部材８４とを備えている。第二のスライドレール部材８２は、切欠きや溝等からなるガイド８５を配しており（図１３、図１４では切欠きを示す）、ガイド８５は、第二のスライドレール部材８２の長手方向に沿って形成されるメインガイド域８６と、メインガイド域８６の上端から第二の側部フレーム７と反対側へ折り返す係止ガイド域８７とを形成している。一方、第二の対応部材８４は、所定長さの本体部８８と、本体部８８の上端を屈曲して形成される係合部８９と、本体部８８の下端を屈曲して形成される下方接続部９０とを備え、下方接続部９０をブラケット８３の側面に挿入して本体部８８及び係合部８９を揺動可能にすると共に、係合部８９を第二のスライドレール部材８２のガイド８５に配してスライドするようにしている。また係合部８９の先端には、ガイド８５の幅より大きいストッパ８９ａを配し、切欠きや溝等のガイド８５から外れないようにしている。
【００５１】
ここで図１１〜図１５に示す如く第一のスライドレール部材７２の係止ガイド域７７と、第二のスライドレール部材８２の係止ガイド域８７とは、互いに逆方向の向きに折り返して形成されるものである。更に具体的に第一のスライドレール部材７２の係止ガイド域７７と、第二のスライドレール部材８２の係止ガイド域８７とを説明すると、第一のスライドレール部材７２の係止ガイド域７７は、カバー本体３を閉止した状態で、上端から第一の側部フレーム６側で且つ斜め下方に向かう傾斜部７７ａと、傾斜部７７ａから鉛直方向に向かう支持部７７ｂとを備えている。また第二のスライドレール部材８２の係止ガイド域８７は、カバー本体３を閉止した状態で、上端から第二の側部フレーム７と反対側で且つ斜め下方に向かう傾斜部８７ａと、傾斜部８７ａから鉛直方向に向かう支持部８７ｂを備えている。
【００５２】
以下本発明を実施する形態の第三例の作用を説明する。
【００５３】
カバー本体３を開放する際には、片手でカバー本体３を上方へ開けることにより、カバー本体３の開放方向への移動に伴って、第一の対応部材７４の係合部７９が第一のスライドレール部材７２のメインガイド域７６を上方へスライドすると共に、第二の対応部材８４の係合部８９が第二のスライドレール部材８２のメインガイド域８６を上方へスライドする。
【００５４】
次にカバー本体３を更に上方へ開けることにより、カバー本体３の開放方向への移動に伴い、第一の対応部材７４の係合部７９が、メインガイド域７６の上部で、第一の対応部材７４の自重によってメインガイド域７６から係止ガイド域７７へ移行し、係止ガイド域７７の支持部７７ｂで係合して第一支持部７１を固定する。また第二の対応部材８４の係合部８９は、メインガイド域８６の上部に位置したままであることから、もう一方の手によって第二の対応部材８４の上部を上側に押し当てながら片手でカバー本体３を下ろすことにより、第二の対応部材８４の係合部８９がメインガイド域８６から係止ガイド域８７へ移行し、係止ガイド域８７の支持部８７ｂで係合して第二支持部８１を固定する。
【００５５】
これにより、カバー本体３を開放する際には、カバー本体３の開放方向への移動に伴って、第一支持部７１が第一の対応部材７４と係止ガイド域７７で係合し、且つ手動によって、第二支持部８１が第二の対応部材８４と係止ガイド域８７で係合し、カバー本体３を開放して固定する。ここで第一支持部７１と第二支持部８１を逆の構成にした場合には、カバー本体３の開放方向への移動に伴って、第二支持部８１が第二の対応部材８４と係止ガイド域８７で係合し、且つ手動によって、第一支持部７１が第一の対応部材７４と係止ガイド域７７で係合し、カバー本体３を開放して固定するものになる。
【００５６】
一方、カバー本体３を閉止する際には、片手でカバー本体３を上方へ一旦押し込むことにより、第二の対応部材８４の係合部８９が第二の対応部材８４の自重によって係止ガイド域８７からメインガイド域８６へ移行し、第二の対応部材８４と係止ガイド域８７の係合を解除する。また第一の対応部材７４の係合部７９は、係止ガイド域７７に位置したままであることから、もう一方の手によって第一の対応部材７４の上部を上側に押し当てながら片手でカバー本体３を下ろすことにより、第一の対応部材７４の係合部７９が係止ガイド域７７からメインガイド域７６へ移行し、第一の対応部材７４と係止ガイド域７７の係合を解除する。
【００５７】
次にカバー本体３を下方へ閉じることにより、カバー本体３の閉止方向への移動に伴って、第二の対応部材８４の係合部８９が、第二の対応部材８４の自重によって第二のスライドレール部材８２のメインガイド域８６を下方へスライドすると共に、第一の対応部材７４の係合部７９が、第一の対応部材７４の自重によって第一のスライドレール部材７２のメインガイド域７６を下方へスライドし、図１５に示す如くカバー本体３を閉止した状態にする。
【００５８】
これにより、カバー本体３を閉止する際には、カバー本体３を開放方向へ一旦押し込むことによって、第二支持部８１が第二の対応部材８４と係止ガイド域８７での係合を解除し、且つ手動によって、第一支持部７１が第一の対応部材７４と係止ガイド域７７での係合を解除し、カバー本体３を閉止する。ここで第一支持部７１と第二支持部８１を逆の構成にした場合には、カバー本体３を開放方向へ一旦押し込むことによって、第一支持部７１が第一の対応部材７４と係止ガイド域７７での係合を解除し、且つ手動によって、第二支持部８１が第二の対応部材８４と係止ガイド域８７での係合を解除し、カバー本体３を閉止するものになる。
【００５９】
而して、実施の形態の第三例によれば、第一例と同様な作用効果を得ることができる。
【００６０】
以下、本発明の実施の形態の第四例を図１６〜図１８を参照して説明する。なお図中、図７〜図９と同一の符号を付した部分は同一物を表わしている。
【００６１】
実施の形態の第四例のカバーの開閉機構は、第二例の第一支持部及び第二支持部を変形したものであり、フレーム部４１とカバー本体４２は第二例とほぼ同じ構成を備えている。
【００６２】
図１６に示す如く第一支持部９１は、第一の側部フレーム４５（側部フレームの一方）と、カバー本体４２の縁側との間に配置されるように、カバー本体４２の水平部４２ｂの縁側に沿って固定される所定長さの第一のスライドレール部材９２と、第一の側部フレーム４５の水平部４５ｂにブラケット９３を介して揺動可能に接続されるロッドステイ等の第一の対応部材９４とを備えている。第一のスライドレール部材９２は、切欠きや溝等からなるガイド９５を配しており（図１６では切欠きを示す）、ガイド９５は、第一のスライドレール部材９２の長手方向に沿って形成されるメインガイド域９６と、メインガイド域９６の下端からカバー本体４２側へ折り返す係止ガイド域９７とを形成している。一方、第一の対応部材９４は、所定長さの本体部９８と、本体部９８の上端を屈曲して形成される係合部９９と、本体部９８の下端を屈曲して形成される下方接続部１００とを備え、下方接続部１００をブラケット９３の側面に挿入して本体部９８及び係合部９９を揺動可能にすると共に、係合部９９を第一のスライドレール部材９２のガイド９５に配してスライドするようにしている。また係合部９９の先端には、ガイド９５の幅より大きいストッパ９９ａを配し、切欠きや溝等のガイド９５から外れないようにしている。
【００６３】
図１７に示す如く第二支持部１０１は、第二の側部フレーム４６（側部フレームの他方）と、カバー本体４２の他の縁側との間に配置されるように、カバー本体４２の水平部４２ｂの他の縁側に沿って固定される所定長さの第二のスライドレール部材１０２と、第二の側部フレーム４６の水平部４６ｂにブラケット１０３を介して揺動可能に接続されるロッドステイ等の第二の対応部材１０４とを備えている。第二のスライドレール部材１０２は、切欠きや溝等からなるガイド１０５を配しており（図１７では切欠きを示す）、ガイド１０５は、第二のスライドレール部材１０２の長手方向に沿って形成されるメインガイド域１０６と、メインガイド域１０６の下端からカバー本体４２と反対側へ折り返す係止ガイド域１０７とを形成している。一方、第二の対応部材１０４は、所定長さの本体部１０８と、本体部１０８の上端を屈曲して形成される係合部１０９と、本体部１０８の下端を屈曲して形成される下方接続部１１０とを備え、下方接続部１１０をブラケット１０３の側面に挿入して本体部１０８及び係合部１０９を揺動可能にすると共に、係合部１０９を第二のスライドレール部材１０２のガイド１０５に配してスライドするようにしている。また係合部１０９の先端には、ガイド１０５の幅より大きいストッパ１０９ａを配し、切欠きや溝等のガイド１０５から外れないようにしている。
【００６４】
ここで図１６〜図１８に示す如く第一のスライドレール部材９２の係止ガイド域９７と、第二のスライドレール部材１０２の係止ガイド域１０７とは、互いに逆方向の向きに折り返して形成されるものである。更に具体的に第一のスライドレール部材９２の係止ガイド域９７と、第二のスライドレール部材１０２の係止ガイド域１０７とを説明すると、第一のスライドレール部材９２の係止ガイド域９７は、水平部中央寄りの先端からカバー本体４２側へ屈曲して折り返す支持部９７ａを備えており、また第二のスライドレール部材１０２の係止ガイド域１０７は、水平部中央寄りの先端からカバー本体４２側と反対側で且つ屈曲して折り返す支持部１０７ａを備えている。
【００６５】
以下本発明を実施する形態の第四例の作用を説明する。
【００６６】
カバー本体４２を開放する際には、片手でカバー本体４２を上方へ開けることにより、カバー本体４２の開放方向への移動に伴って、第一の対応部材９４の係合部９９が第一のスライドレール部材９２のメインガイド域９６を下方へスライドすると共に、第二の対応部材１０４の係合部１０９が第二のスライドレール部材１０２のメインガイド域１０６を下方へスライドする。
【００６７】
次にカバー本体４２を更に上方へ開けることにより、カバー本体４２の開放方向への移動に伴い、第一の対応部材９４の係合部９９が、メインガイド域９６の下部で、第一の対応部材９４の自重によってメインガイド域９６から係止ガイド域９７へ移行し、係止ガイド域９７で係合して第一支持部９１を固定する。また第二の対応部材１０４の係合部１０９は、メインガイド域１０６の下部に位置したままであることから、もう一方の手によって第二の対応部材１０４の上部を手前側（カバー本体４２と反対側）に引き込むことにより、第二の対応部材１０４の係合部１０９がメインガイド域１０６から係止ガイド域１０７へ移行し、係止ガイド域１０７で係合して第二支持部１０１を固定する。
【００６８】
これにより、カバー本体４２を開放する際には、カバー本体４２の開放方向への移動に伴って、第一支持部９１が第一の対応部材９４と係止ガイド域９７で係合し、且つ手動によって、第二支持部１０１が第二の対応部材１０４と係止ガイド域１０７で係合し、カバー本体４２を開放して固定する。ここで第一支持部９１と第二支持部１０１を逆の構成にした場合には、カバー本体４２の開放方向への移動に伴って、第二支持部１０１が第二の対応部材１０４と係止ガイド域１０７で係合し、且つ手動によって、第一支持部９１が第一の対応部材９４と係止ガイド域９７で係合し、カバー本体４２を開放して固定するものになる。
【００６９】
一方、カバー本体４２を閉止する際には、片手でカバー本体４２を開放側へ一旦押し込むことにより、第二の対応部材１０４の係合部１０９が第二の対応部材１０４の自重によってガイドの係止ガイド域１０７からメインガイド域１０６の下端へ移行し、第二の対応部材１０４と係止ガイド域１０７の係合を解除する。また第一の対応部材９４の係合部９９は、係止ガイド域９７に位置したままであることから、もう一方の手によって第一の対応部材９４の下部を手前側（カバー本体４２と反対側）に引き込むことにより、第一の対応部材９４の係合部９９が係止ガイド域９７からメインガイド域９６へ移行し、第一の対応部材９４と係止ガイド域９７の係合を解除する。
【００７０】
次にカバー本体４２を下方へ閉じることにより、カバー本体４２の閉止方向への移動に伴って、第二の対応部材１０４の係合部１０９が、第二のスライドレール部材１０２のメインガイド域１０６を上方にスライドすると共に、第一の対応部材９４の係合部９９が、第一のスライドレール部材９２のメインガイド域９６を上方にスライドし、図１８に示す如くカバー本体４２を閉止した状態にする。
【００７１】
これにより、カバー本体４２を閉止する際には、カバー本体４２を開放方向へ一旦押し込むことによって、第二支持部１０１が第二の対応部材１０４と係止ガイド域１０７での係合を解除し、且つ手動によって、第一支持部９１が第一の対応部材９４と係止ガイド域９７での係合を解除し、カバー本体４２を閉止する。ここで第一支持部９１と第二支持部１０１を逆の構成にした場合には、カバー本体４２を開放方向へ一旦押し込むことによって、第一支持部９１が第一の対応部材９４と係止ガイド域９７での係合を解除し、且つ手動によって、第二支持部１０１が第二の対応部材１０４と係止ガイド域１０７での係合を解除し、カバー本体４２を閉止するものになる。
【００７２】
而して、実施の形態の第四例によれば、第二例と同様な作用効果を得ることができる。
【００７３】
以下、本発明の実施の形態の第五例を図１９〜図２３を参照して説明する。なお図中、図１〜図６と同一の符号を付した部分は同一物を表わしている。
【００７４】
実施の形態の第五例のカバーの開閉機構は、第一例の第一支持部及び第二支持部を変形したものであり、フレーム部２とカバー本体３は第一例とほぼ同じ構成を備えている。
【００７５】
図２０、図２１に示す如く第一支持部１１１は、第一の側部フレーム６（側部フレームの一方）と、カバー本体３の縁側との間に配置されるように、カバー本体３の縁側にブラケット１１２を介して揺動可能に接続される第一のスライドレール部材１１３と、第一の側部フレーム６にブラケット１１４を介して固定される第一の対応部材１１５とを備えている。第一のスライドレール部材１１３は、切欠きや溝等からなるガイド１１６を配しており（図２０、図２１では切欠きを示す）、ガイド１１６は、第一のスライドレール部材１１３の長手方向に沿って形成されるメインガイド域１１７と、メインガイド域１１７の下端から第一の側部フレーム６側へ折り返す係止ガイド域１１８とを形成している。一方、第一の対応部材１１５は、水平方向へ延びるロッド状の係合部１１９を備え、第一のスライドレール部材１１３のガイド１１６に位置して第一のスライドレール部材１１３の揺動をガイドするようにしている。なお係合部１１９の先端には、ガイド１１６の幅より大きいストッパ（図示せず）を配しても良い。
【００７６】
図２２、図２３に示す如く第二支持部１２１は、第二の側部フレーム７（側部フレームの他方）と、カバー本体３の他の縁側との間に配置されるように、カバー本体３の他の縁側にブラケット１２２を介して揺動可能に接続される第二のスライドレール部材１２３と、第二の側部フレーム７にブラケット１２４を介して固定される第二の対応部材１２５とを備えている。第二のスライドレール部材１２３は、切欠きや溝等からなるガイド１２６を配しており（図２２、図２３では切欠きを示す）、ガイド１２６は、第二のスライドレール部材１２３の長手方向に沿って形成されるメインガイド域１２７と、メインガイド域１２７の下端から第二の側部フレーム７と反対側へ折り返す係止ガイド域１２８とを形成している。一方、第二の対応部材１２５は、水平方向へ延びるロッド状の係合部１２９を備え、第二のスライドレール部材１２３のガイド１２６に位置して第二のスライドレール部材１２３の揺動をガイドするようにしている。また係合部１２９の先端には、ガイド１２６の幅より大きいストッパ（図示せず）を配しても良い。
【００７７】
ここで図２０〜図２３に示す如く第一のスライドレール部材１１３の係止ガイド域１１８と、第二のスライドレール部材１２３の係止ガイド域１２８とは、互いに逆方向の向きに折り返して形成されるものである。更に具体的に第一のスライドレール部材１１３の係止ガイド域１１８と、第二のスライドレール部材１２３の係止ガイド域１２８とを説明すると、第一のスライドレール部材１１３の係止ガイド域１１８は、カバー本体３を開放した状態で、下端から第一の側部フレーム６へ屈曲する支持部１１８ａとを備えている。また第二のスライドレール部材１２３の係止ガイド域１２８は、下端から第二の側部フレーム７と反対側へ屈曲する支持部１２８ａを備えている。
【００７８】
以下本発明を実施する形態の第五例の作用を説明する。
【００７９】
カバー本体３を開放する際には、片手でカバー本体３を上方へ開けることにより、カバー本体３の開放方向への移動に伴って、第一の対応部材１１５の係合部１１９を第一のスライドレール部材１１３のメインガイド域１１７を下方へスライドさせるように第一のスライドレール部材１１３が揺動すると共に、第二の対応部材１２５の係合部１２９を第二のスライドレール部材１２３のメインガイド域１２７を下方へスライドさせるように第二のスライドレール部材１２３が揺動する。
【００８０】
次にカバー本体３を更に上方へ開けることにより、カバー本体３の開放方向への移動に伴い、第一のスライドレール部材１１３の自重によって、第一の対応部材１１５の係合部１１９をメインガイド域１１７から係止ガイド域１１８へ移行させるように第一のスライドレール部材１１３が移動し、係止ガイド域１１８で係合部１１９が係合して第一支持部１１１を固定する。また第二のスライドレール部材１２３は、係合部１２９がメインガイド域１２７の下部に位置する状態のままであることから、もう一方の手によって第二のスライドレール部材１２３を第二の側部フレーム７側へ押し込むことにより、第二の対応部材１２５の係合部１２９をメインガイド域１２７から係止ガイド域１２８へ移行させるように第二のスライドレール部材１２３が移動し、係止ガイド域１２８で係合部１２９が係合して第二支持部１２１を固定する。
【００８１】
これにより、カバー本体３を開放する際には、カバー本体３の開放方向への移動に伴って、第一支持部１１１が第一の対応部材１１５と係止ガイド域１１８で係合し、且つ手動によって、第二支持部１２１が第二の対応部材１２５と係止ガイド域１２８で係合し、カバー本体３を開放して固定する。ここで第一支持部１１１と第二支持部１２１を逆の構成にした場合には、カバー本体３の開放方向への移動に伴って、第二支持部１２１が第二の対応部材１２５と係止ガイド域１２８で係合し、且つ手動によって、第一支持部１１１が第一の対応部材１１５と係止ガイド域１１８で係合し、カバー本体３を開放して固定するものになる。
【００８２】
一方、カバー本体３を閉止する際には、片手でカバー本体３を上方へ一旦押し込むことにより、第二のスライドレール部材１２３の自重によって、第二の対応部材１２５の係合部１２９を係止ガイド域１２８からメインガイド域１２７へ移行させるように第二のスライドレール部材１２３が移動し、第二の対応部材１２５と係止ガイド域１２８の係合を解除する。また第一のスライドレール部材１１３は、係合部１１９が係止ガイド域１１８に位置したままの状態であることから、もう一方の手によって第一のスライドレール部材１１３を第一の側部フレーム６側へ押し込むことにより、第一の対応部材１１５の係合部１１９を係止ガイド域１１８からメインガイド域１１７へ移行させるように第一のスライドレール部材１１３を移動し、第一の対応部材１１５と係止ガイド域１１８の係合を解除する。
【００８３】
次にカバー本体３を下方へ閉じることにより、カバー本体３の閉止方向への移動に伴って、第二のスライドレール部材１２３の自重によって、第二の対応部材１２５の係合部１２９を第二のスライドレール部材１２３のメインガイド域１２７を上方へスライドさせるように第二のスライドレール部材１２３が揺動すると共に、第一のスライドレール部材１１３の自重によって、第一の対応部材１１５の係合部１１９を、第一のスライドレール部材１１３のメインガイド域１１７を上方へスライドさせるように第一のスライドレール部材１１３が揺動し、カバー本体３を閉止した状態にする。
【００８４】
これにより、カバー本体３を閉止する際には、カバー本体３を開放方向へ一旦押し込むことによって、第二支持部１２１が第二の対応部材１２５と係止ガイド域１２８での係合を解除し、且つ手動によって、第一支持部１１１が第一の対応部材１１５と係止ガイド域１１８での係合を解除し、カバー本体３を閉止する。ここで第一支持部１１１と第二支持部１２１を逆の構成にした場合には、カバー本体３を開放方向へ一旦押し込むことによって、第一支持部１１１が第一の対応部材１１５と係止ガイド域１１８での係合を解除し、且つ手動によって、第二支持部１２１が第二の対応部材１２５と係止ガイド域１２８での係合を解除し、カバー本体３を閉止するものになる。
【００８５】
而して、実施の形態の第五例によれば、第一例と同様な作用効果を得ることができる。
【００８６】
尚、本発明のカバーの開閉機構は、上述の図示例にのみ限定されるものではなく、本発明の作用効果を生じるならばガイドの形状や構成は他の形状や構成でも良いこと、第一支持部及び第二支持部を他の構成にしても良いこと、その他、本発明の要旨を逸脱しない範囲内において種々変更を加え得ることは勿論である。
【符号の説明】
【００８７】
２  フレーム部
３  カバー本体
４  第一支持部
５  第二支持部
６  第一の側部フレーム
７  第二の側部フレーム
１６  第一のスライドレール部材
１８  第一の対応部材
１９  ガイド
２０  メインガイド域
２１  係止ガイド域
２２  本体部
２４  係合部
２６  第二のスライドレール部材
２８  第二の対応部材
２９  ガイド
３０  メインガイド域
３１  係止ガイド域
３２  本体部
３４  係合部
４１  フレーム部
４２  カバー本体
４３  第一支持部
４４  第二支持部
４５  第一の側部フレーム
４６  第二の側部フレーム
４９  第一のスライドレール部材
５１  第一の対応部材
５２  ガイド
５３  メインガイド域
５４  係止ガイド域
５５  本体部
５７  係合部
５９  第二のスライドレール部材
６１  第二の対応部材
６２  ガイド
６３  メインガイド域
６４  係止ガイド域
６５  本体部
６７  係合部
７１  第一支持部
７２  第一のスライドレール部材
７４  第一の対応部材
７５  ガイド
７６  メインガイド域
７７  係止ガイド域
７８  本体部
７９  係合部
８１  第二支持部
８２  第二のスライドレール部材
８４  第二の対応部材
８５  ガイド
８６  メインガイド域
８７  係止ガイド域
８８  本体部
８９  係合部
９１  第一支持部
９２  第一のスライドレール部材
９４  第一の対応部材
９５  ガイド
９６  メインガイド域
９７  係止ガイド域
９８  本体部
９９  係合部
１０１  第二支持部
１０２  第二のスライドレール部材
１０４  第二の対応部材
１０５  ガイド
１０６  メインガイド域
１０７  係止ガイド域
１０８  本体部
１０９  係合部
１１１  第一支持部
１１３  第一のスライドレール部材
１１５  第一の対応部材
１１６  ガイド
１１７  メインガイド域
１１８  係止ガイド域
１１９  係合部
１２１  第二支持部
１２３  第二のスライドレール部材
１２５  第二の対応部材
１２６  ガイド
１２７  メインガイド域
１２８  係止ガイド域
１２９  係合部
【図１】
0005608411.tif 000002
【図２】
0005608411.tif 000003
【図３】
0005608411.tif 000004
【図４】
0005608411.tif 000005
【図５】
0005608411.tif 000006
【図６】
0005608411.tif 000007
【図７】
0005608411.tif 000008
【図８】
0005608411.tif 000009
【図９】
0005608411.tif 000010
【図１０】
0005608411.tif 000011
【図１１】
0005608411.tif 000012
【図１２】
0005608411.tif 000013
【図１３】
0005608411.tif 000014
【図１４】
0005608411.tif 000015
【図１５】
0005608411.tif 000016
【図１６】
0005608411.tif 000017
【図１７】
0005608411.tif 000018
【図１８】
0005608411.tif 000019
【図１９】
0005608411.tif 000020
【図２０】
0005608411.tif 000021
【図２１】
0005608411.tif 000022
【図２２】
0005608411.tif 000023
【図２３】
0005608411.tif 000024